【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
印刷処理を実行する印刷手段と、
前記印刷手段が印刷処理に用いることができる複数種類の用紙に関する用紙情報であって用紙の特性を示す用紙特性情報を含む用紙情報を記憶する用紙情報記憶手段と、
前記印刷手段が印刷処理を実行するための複数の印刷設定項目について各印刷設定項目にて設定可能な設定の組み合わせを特定するための許可情報を記憶する許可情報記憶手段と、
特定の用紙を用いて印刷処理を実行する場合に該特定の用紙に対応する前記用紙特性情報に基づいて、前記許可情報記憶手段に記憶された複数の許可情報の中からいずれか１つの許可情報を選択する選択手段と、
前記特定の用紙を用いた印刷処理を実行する場合に、前記選択手段が選択した許可情報に基づいて、前記複数の印刷設定項目の各々について設定を行う設定手段と、
前記設定手段により設定された印刷設定に基づいて、前記印刷手段に印刷処理を実行させる制御手段と、
を有することを特徴とする印刷装置。
【請求項２】
前記用紙特性情報は、用紙の材質を示す用紙材質情報及び用紙の重量を示す用紙重量情報を含み、
前記選択手段は、前記用紙材質情報及び前記用紙重量情報に基づいて、前記複数の許可情報の中からいずれか１つの許可情報を選択することを特徴とする請求項１に記載の印刷装置。
【請求項３】
印刷処理で用いる用紙のサイズを指定する指定手段を有し、
前記選択手段は、前記用紙サイズ情報及び前記用紙特性情報に基づいて、前記複数の許可情報のいずれか１つを選択することを特徴とする請求項１又は２のいずれか１項に記載の印刷装置。
【請求項４】
前記用紙情報記憶手段が記憶する用紙情報の種類は、前記許可情報記憶手段に記憶された許可情報の数より多いことを特徴とする請求項１乃至３のいずれか１項に記載の印刷装置。
【請求項５】
前記用紙情報として新たに登録することが可能な予備用紙情報を記憶する予備用紙情報記憶手段と、
前記予備用紙情報記憶手段に記憶された予備用紙情報を、前記用紙情報記憶手段に新たな用紙情報として登録する登録手段とを有し、
前記設定手段は、前記予備用紙情報記憶手段に記憶されている用紙を印刷処理で用いる用紙として設定不可とする一方で、前記用紙情報記憶手段に記憶されている用紙を印刷処理で用いる用紙として設定可能とすることを特徴とする請求項１乃至４のいずれか１項に記載の印刷装置。
【請求項６】
前記印刷手段は、用紙にトナー像を転写するための転写部及び前記転写部により転写されたトナー像を用紙に熱定着させる定着部を有し、
前記用紙情報は、印刷処理を行うにあたって前記転写部が用紙に印加する転写電圧及び前記定着部の温度を制御するための制御情報を含み、
前記制御手段は、前記制御情報に基づいて、前記転写部及び前記定着部を制御することを特徴とする請求項１乃至５のいずれか１項に記載の印刷装置。
【請求項７】
前記印刷手段は、印刷処理に用いる用紙を搬送させる搬送部を有し、
前記用紙情報は、印刷処理を行うにあたって前記搬送部が用紙を搬送させる搬送速度を制御するための制御情報を含み、
前記制御手段は、前記制御情報に基づいて、前記搬送部を制御することを特徴とする請求項１乃至６のいずれか１項に記載の印刷装置。
【請求項８】
前記制御情報を変更する変更手段を有することを特徴とする請求項６又は７に記載の印刷装置。
【請求項９】
印刷装置に印刷処理を実行させるための印刷ジョブを生成する情報処理装置であって、
前記印刷装置が印刷処理に用いることができる複数種類に関する用紙情報であって用紙の特性を示す用紙特性情報を含む用紙情報を記憶する用紙情報記憶手段と、
前記印刷装置が印刷処理を実行するための複数の印刷設定項目について各印刷設定項目にて設定可能な設定の組み合わせを示す許可情報を記憶する許可情報記憶手段と、
特定の用紙を用いて印刷処理を実行するための印刷ジョブを生成する場合に該特定の用紙に対応する前記用紙特性情報に基づいて、前記許可情報記憶手段に記憶された複数の許可情報の中からいずれか１つの許可情報を選択する選択手段と、
前記特定の用紙を用いて印刷ジョブを生成する場合に、前記選択手段が選択した許可情報にて許可されている設定となるよう、前記複数の印刷設定項目の各々について設定を行う設定手段と、
前記設定手段により設定された印刷設定に基づいて、前記印刷装置に印刷処理を実行させるための印刷ジョブを生成する生成手段と、
を有することを特徴とする情報処理装置。
【請求項１０】
前記用紙特性情報は、用紙の材質を示す用紙材質情報及び用紙の重量を示す用紙重量情報を含み、
前記選択手段は、前記用紙材質情報及び前記用紙重量情報に基づいて、前記複数の許可情報の中からいずれか１つの許可情報を選択することを特徴とする請求項９に記載の情報処理装置。
【請求項１１】
前記用紙情報は用紙のサイズを示す用紙サイズ情報を含み、
前記選択手段は、前記用紙サイズ情報及び前記用紙特性情報に基づいて、前記複数の許可情報のいずれか１つを選択することを特徴とする請求項９又は１０のいずれか１項に記載の情報処理装置。
【請求項１２】
前記用紙情報記憶手段が記憶する用紙情報の種類は、前記許可情報記憶手段に記憶された許可情報の数より多いことを特徴とする請求項９乃至１１のいずれか１項に記載の情報処理装置。
【請求項１３】
印刷装置が印刷処理に用いることができる複数種類の用紙に関する用紙情報であって用紙の特性を示す用紙特性情報を含む用紙情報を用紙情報記憶手段に記憶させる第１記憶工程と、
前記印刷装置が印刷処理を実行するための複数の印刷設定項目について各印刷設定項目にて設定可能な設定の組み合わせを示す許可情報を許可情報記憶手段に記憶させる第２記憶工程と、
特定の用紙を用いて印刷処理を実行する場合に当該特定の用紙に対応する前記用紙特性情報に基づいて、前記許可情報記憶手段に記憶された複数の許可情報の中からいずれか１つの許可情報を選択する選択工程と、
前記特定の用紙を用いた印刷処理を実行する場合に、前記選択工程にて選択した許可情報にて許可されている設定となるよう、前記複数の印刷設定項目の各々について設定を行う設定工程と、
前記設定工程にて設定された印刷設定に基づいて、前記印刷装置に印刷処理を実行させる制御工程と、
を有することを特徴とする印刷方法。
【手続補正２】
【補正対象書類名】明細書
【補正対象項目名】０００７
【補正方法】変更
【補正の内容】
【０００７】
上記目的を達成するために、本発明の印刷装置は、印刷処理を実行する印刷手段と、前記印刷手段が印刷処理に用いることができる複数種類の用紙に関する用紙情報であって用紙の特性を示す用紙特性情報を含む用紙情報を記憶する用紙情報記憶手段と、前記印刷手段が印刷処理を実行するための複数の印刷設定項目について各印刷設定項目にて設定可能な設定の組み合わせを示す許可情報を記憶する許可情報記憶手段と、特定の用紙を用いて印刷処理を実行する場合に該特定の用紙に対応する前記用紙特性情報に基づいて、前記許可情報記憶手段に記憶された複数の許可情報の中からいずれか１つの許可情報を選択する選択手段と、前記特定の用紙を用いた印刷処理を実行する場合に、前記選択手段が選択した許可情報にて許可されている設定となるよう、前記複数の印刷設定項目の各々について設定を行う設定手段と、前記設定手段により設定された印刷設定に基づいて、前記印刷手段に印刷処理を実行させる制御手段とを有することを特徴とする。
【手続補正３】
【補正対象書類名】明細書
【補正対象項目名】０００８
【補正方法】変更
【補正の内容】
【０００８】
また、本発明の情報処理装置は、印刷装置に印刷処理を実行させるための印刷ジョブを生成する情報処理装置であって、前記印刷装置が印刷処理に用いることができる複数種類に関する用紙情報であって用紙の特性を示す用紙特性情報を含む用紙情報を記憶する用紙情報記憶手段と、前記印刷装置が印刷処理を実行するための複数の印刷設定項目について各印刷設定項目にて設定可能な設定の組み合わせを示す許可情報を記憶する許可情報記憶手段と、特定の用紙を用いて印刷処理を実行するための印刷ジョブを生成する場合に該特定の用紙に対応する前記用紙特性情報に基づいて、前記許可情報記憶手段に記憶された複数の許可情報の中からいずれか１つの許可情報を選択する選択手段と、前記特定の用紙を用いて印刷ジョブを生成する場合に、前記選択手段が選択した設定許可情報にて許可されている設定となるよう、前記複数の印刷設定項目の各々について設定を行う設定手段と、前記設定手段により設定された印刷設定に基づいて、前記印刷装置に印刷処理を実行させるための印刷ジョブを生成する生成手段とを有することを特徴とする。
【手続補正４】
【補正対象書類名】明細書
【補正対象項目名】０００９
【補正方法】変更
【補正の内容】
【０００９】
また、本発明の印刷方法は、印刷装置が印刷処理に用いることができる複数種類の用紙に関する用紙情報であって用紙の特性を示す用紙特性情報を含む用紙情報を用紙情報記憶手段に記憶させる第１記憶工程と、前記印刷装置が印刷処理を実行するための複数の印刷設定項目について各印刷設定項目にて設定可能な設定の組み合わせを示す許可情報を許可情報記憶手段に記憶させる第２記憶工程と、特定の用紙を用いて印刷処理を実行する場合に当該特定の用紙に対応する前記用紙特性情報に基づいて、前記許可情報記憶手段に記憶された複数の許可情報の中からいずれか１つの許可情報を選択する選択工程と、前記特定の用紙を用いた印刷処理を実行する場合に、前記選択工程にて選択した許可情報にて許可されている設定となるよう、前記複数の印刷設定項目の各々について設定を行う設定工程と、前記設定工程にて設定された印刷設定に基づいて、前記印刷装置に印刷処理を実行させる制御工程と、
を有することを特徴とする。